(57)【特許請求の範囲】
【請求項１】
内部に放電バルブが配置されたボディに開口部を形成し、上記開口部を覆うように放電バルブ点灯装置を取り付け、上記開口部を介して上記放電バルブと上記放電バルブ点灯装置とを給電コードによって接続した車輌用前照灯であって、
上記ボディに上記開口部の開口縁近傍から突出した円筒状をした防水壁と該防水壁の外側の防水壁を囲む位置から突出した位置決めリブとを形成し、
上記位置決めリブと上記防水壁とを同心円上に形成し、
上記放電バルブ点灯装置には上記防水壁より小径な円筒状をした防水リブと上記位置決めリブに内接する被規制部とが設けられ、
上記放電バルブ点灯装置は、その防水リブと上記防水壁との間にオーリングが介挿され、且つ、被規制部が上記位置決めリブに内接した状態で、ボディにネジ止めされた
ことを特徴とする車輌用前照灯。
【発明の詳細な説明】
【０００１】
【発明の属する技術分野】
本発明は新規な車輌用前照灯に関する。詳しくは、ボディの外側に放電バルブ点灯装置を取り付けた車輌用前照灯において、ボディの放電バルブ点灯装置を取り付けた部分の防水を確実に図る技術に関する。
【０００２】
【従来の技術】
ボディの内部に配置された放電バルブを点灯するための放電バルブ点灯装置をボディの外側に取り付けた車輌用前照灯にあっては、放電バルブと放電バルブ点灯装置との間を接続する給電コードを挿通するための開口部をボディに形成する必要があるため、該開口部と放電バルブ点灯装置との間の防水を図る必要がある。
【０００３】
そこで、従来の車輌用前照灯には、図８で示す構造により防水を図ったものがある。
【０００４】
すなわち、図示しない放電バルブが内部に配置されたボディａの底面に開口部ｂが形成され、ボディａの下面の上記開口部ｂの開口縁部に下方に開口した嵌合溝ｃが全周に亘って形成され、該嵌合溝ｃ内にパッキングｄが嵌合される。また、上記嵌合溝ｃの外側に複数個のネジ止めボスｅ、ｅ、・・・が突設される。
【０００５】
放電バルブ点灯装置ｆには側面から複数のネジ止め片ｇ、ｇ、・・・が突設され、また、ボディａの底面に対向した側には上記嵌合溝ｃに対向した嵌合リブｈが突設される。
【０００６】
そして、放電バルブ点灯装置ｆは、嵌合リブｈの先端がボディａの嵌合溝ｃ内に位置されたパッキングｄに突き当てられた状態で、ネジ止め片ｇ、ｇ、・・・を下方から挿通されたタッピングネジｉ、ｉ、・・・がネジ止めボスｅ、ｅ、・・・の下穴（図示しない）に捻じ込まれて、ボディａに取り付けられる。
【０００７】
そして、給電コードｊが図示しない放電バルブに接続される。
【０００８】
【発明が解決しようとする課題】
上記した従来の車輌用前照灯にあっては、嵌合溝ｃ内に嵌合されたパッキングｄに放電バルブ点灯装置ｆに形成された嵌合リブｈを突き当て、該パッキングｄと嵌合リブｈとの突当部において防水を図ろうとするものである。
【０００９】
従って、パッキングｄは嵌合リブｈを突き当てられた部分が他の部分に比較して著しく変形され、これによって、パッキングに永久変形が起こり、防水性が低下するという問題がある。
【００１０】
また、放電バルブ点灯装置ｆはタッピングネジｉ、ｉ、・・・のネジ止めボスｅ、ｅ、・・・の下穴に対する捻じ込みによってボディａに取り付けられるものである。そして、タッピングネジｉ、ｉ、・・・に対する捻じ込みトルクのかけ方が捻じ込み方向に直交する方向にずれると、タッピングネジｉ、ｉ、・・・の捻じ込み方向が曲がってしまい、その結果、放電バルブ点灯装置ｆの取付位置が正規の位置からずれてしまうという問題がある。そして、このような取付位置のずれが生じると、嵌合リブｈの先端の位置がパッキングｄを押し潰した状態のまま嵌合溝ｃの幅方向にずれてしまい、これによって、パッキングｄの変形がさらに著しく、且つ、偏ることになり、防水性が著しく損なわれる結果を招くという問題がある。
【００１１】
以上の点から、図８に示した従来の車輌用前照灯にあっては、放電バルブ点灯装置ｆの取付位置におけるボディａの防水性に信頼が置けないという問題があった。
【００１２】
そこで、本発明は、ボディの外側に放電バルブ点灯装置を取り付けた車輌用前照灯において、ボディの放電バルブ点灯装置を取り付けた部分の防水を確実にすることを課題とする。
【００１３】
【課題を解決するための手段】
本発明車輌用前照灯は、上記した課題を解決するために、内部に放電バルブが配置されたボディに開口部を形成し、上記開口部を覆うように放電バルブ点灯装置を取り付け、上記開口部を介して上記放電バルブと上記放電バルブ点灯装置とを給電コードによって接続した車輌用前照灯であって、上記ボディに上記開口部の開口縁近傍から突出した円筒状をした防水壁と該防水壁の外側の防水壁を囲む位置から突出した位置決めリブとを形成し、上記位置決めリブと上記防水壁とを同心円上に形成し、上記放電バルブ点灯装置には上記防水壁より小径な円筒状をした防水リブと上記位置決めリブに内接する被規制部とが設けられ、上記放電バルブ点灯装置は、その防水リブと上記防水壁との間にオーリングが介挿され、且つ、被規制部が上記位置決めリブに内接した状態で、ボディにネジ止めされたものである。
【００１４】
従って、本発明車輌用前照灯にあっては、放電バルブ点灯装置を取り付けた箇所におけるボディの防水が確実に図られることになる。すなわち、先ず、オーリングはボディの防水壁と放電バルブ点灯装置の防水リブとの間で均等に押圧されるため、全体が均等に変形し、局部的に大きな変形を強いられる場合に比較して弾性疲労が少なく、長期間に亘って、期待された防水性を維持することが出来る。
【００１５】
また、放電バルブ点灯装置をボディにネジ止めするときに、ネジに対する回転トルクの与え方に捻じ込み方向以外のモーメントが加わって、放電バルブ点灯装置が捻じ込み方向に直交する方向にずれようとしても、放電バルブ点灯装置の被規制部がボディの位置決めリブによって位置規制されているため、放電バルブ点灯装置は設計上の取付位置に正確に取り付けられることになり、従って、オーリングが不均一に変形を受けることが無く、オーリングは期待された防水性を長期間に亘って維持することが出来る。そして、さらに、位置決めリブと防水壁とを同心円上に形成したので、ボディの防水壁と放電バルブ点灯装置の防水リブとが同心円状に位置し、オーリングの位置が安定して、確実な防水を図ることが出来る。
【００１６】
【発明の実施の形態】
以下に、本発明車輌用前照灯の実施の形態を添付図面を参照して説明する。
【００１７】
車輌用前照灯１は前方に向かって開口した凹部２を有するランプボディ３を備え、該ランプボディ３に凹部２の前面を覆うように前面カバー（レンズ）４が取り付けられて灯具空間５が画成される。そして、上記灯具空間５内にリフレクタ６が傾動可能に配設され、該リフレクタ６の後部ほぼ中央に放電バルブ７が着脱自在に取り付けられる。また、放電バルブ７の前側を覆うように遮光部材８が配設され、放電バルブ７からの直射光が前面カバー４を透して前方へ照射されないようになっている。
【００１８】
ランプボディ３の底面壁３ａには円形の開口部９が形成される。ランプボディ３の底面壁３ａの下面のうち開口部９の開口縁から僅かに離間した位置から防水壁１０が下方へ向けて突設されている。該防水壁１０は開口部９の中心９ａを中心とする円筒形に形成されている。従って、防水壁１０の上端部と開口部９の開口縁との間にフランジ部９ｂが形成される。
【００１９】
ランプボディ３の底面壁３ａの下面のうち上記防水壁１０を外側から囲む位置に高さ、すなわち、底面壁３ａからの突出量が防水壁１０とほぼ同じの外壁１１が形成される。そして、この外壁１１も開口部９の中心９ａを中心とする円筒形に形成されている。従って、防水壁１０と外壁１１とは同心円状に形成されている。そして、上記外壁１１の下端の適宜の位置から位置決めリブ１２、１２、・・・がさらに下方へ突出するように形成されている。従って、この位置決めリブ１２、１２、・・・は上記防水壁１０と同心円上に形成されていることになる。そして、外壁１１と重なるようにして上記位置決めリブ１２、１２、・・・が途切れている位置にネジ止めボス１３、１３、１３がランプボディ３の底面壁３ａの下面から下方へ突出されている。なお、このネジ止めボス１３、１３、１３の底面壁３ａからの突出高さは外壁１１の底面壁３ａからの突出高さとほぼ同じにされている。そして、上記ネジ止めボス１３、１３、１３には下面に開口した下穴１３ａ、１３ａ、１３ａが形成されている。
【００２０】
放電バルブ点灯装置１４は、ケース体１５内に点灯回路１６が収納されて成る。ケース体１５の上下方向から見た外周面形状はほぼ正方形の４隅を面取りした如き形状をしており、面取り部に相当する部分１７、１７、・・・が被規制部とされ、単一の円に沿う円弧面とされている。そして、これら被規制部１７、１７、・・・が沿っている円はランプボディ３の上記位置決めリブ１２、１２、・・・に内接する大きさの円である。また、外周面のやや上端寄りの位置の周方向に間隔をおいた位置からはネジ止め片１８、１８、１８が側方へ突設されており、これらネジ止め片１８、１８、１８にはそれぞれネジ挿通孔１８ａ、１８ａ、１８ａが形成されている。
【００２１】
ケース体１５の上面には円筒状をした防水リブ１９が上方へ向けて突設されている。そして、該防水リブ１９が為す円と上記被規制部１７、１７、・・・が沿っている円とは同心円となっており、また、防水リブ１９が為す円はランプボディ３の防水壁１０が為す円より僅かに小さな円となっている。
【００２２】
そして、ケース体１５の外周面には入力側コネクタ２０が突設され、ケース体１５の上面のうち防水リブ１９によって囲まれた位置には出力側コネクタ２１が形成されている。
【００２３】
上記した放電バルブ点灯装置１４のランプボディ３への取付は以下のようにして為される。
【００２４】
先ず、放電バルブ点灯装置１４の防水リブ１９にオーリング２２を外嵌した状態で、防水リブ１９をランプボディ３の防水壁１０に内嵌させていく。その過程で、放電バルブ点灯装置１４の被規制部１７、１７、・・・がランプボディ３の位置決めリブ１２、１２、・・・に内接して位置決めされることによって、防水リブ１９と防水壁１０とが同心円状に位置され、これら防水リブ１９と防水壁１０との間でオーリング２２が均等に押圧されて全周に亘って均等に弾性変形して防水リブ１９と防水壁１０との間を水密に維持するようになる。
【００２５】
そこで、放電バルブ点灯装置１４のネジ止め片１８、１８、１８のネジ挿通孔１８ａ、１８ａ、１８ａをランプボディ３のネジ止めボス１３、１３、１３の下穴１３ａ、１３ａ、１３ａに位置合わせし、その状態で、タッピングネジ２３、２３、２３を下方から上記ネジ挿通孔１８ａ、１８ａ、１８ａを挿通させて上記下穴１３ａ、１３ａ、１３ａに捻じ込む。これによって、放電バルブ点灯装置１４はランプボディ３の底面に取り付けられ、ランプボディ３の開口部９はランプボディ３の防水壁１０と放電ランプ点灯装置１４の防水リブ１９との間に介在されたオーリング２２によって防水される。
【００２６】
そして、車輌に搭載された電源（バッテリー）（図示しない）に接続された電源コード２４の先端に設けられた電源側コネクタ２５が放電バルブ点灯装置１４の入力側コネクタ２０に接続され、また、給電ソケット２６から引き出された給電コード２７の先端に設けられたバルブ側コネクタ２８が放電バルブ点灯装置１４の出力側コネクタ２１に接続される。そして、給電ソケット２６が放電バルブ７の口金部（図示しない）に取り付けられ、これによって、ランプボディ３の開口部９を介して延びる給電コード２７によって放電バルブ点灯装置１４の点灯回路１６と放電バルブ７とが接続される。なお、放電バルブ７の点灯は、バッテリーの電源電圧を点灯回路１６によって昇圧すると共に直交変換して高圧の交流電圧である点灯電圧とし、該点灯電圧を放電バルブ７に印加することによって為されるようになっている。また、始動回路が設けられ放電バルブ７の始動（点灯開始）時に始動電圧を上記点灯電圧に重畳して放電バルブ７に印加するようになっている。そして、上記始動回路は給電ソケット２６内に設ける場合と放電バルブ点灯装置１４のケース体１５内に点灯回路１６と共に設ける場合とがあるが、始動回路をケース体１５内に設ける場合は、本明細書における「点灯回路」の用語は始動回路を含んだ広義の意味で用いる。
【００２７】
上記車輌用前照灯１にあっては、オーリング２２がランプボディ３の防水壁１０と放電バルブ点灯装置１４の防水リブ１９との間で均等に押圧されるため、全体が均等に変形し、局部的に大きな変形を強いられる場合に比較して弾性疲労が少なく、長期間に亘って、期待された防水性を維持することが出来る。
【００２８】
また、放電バルブ点灯装置１４をランプボディ３にタッピングネジ２３、２３、２３によってネジ止めするときに、タッピングネジ２３、２３、２３に対する回転トルクの与え方に捻じ込み方向以外のモーメントが加わって、放電バルブ点灯装置１４が捻じ込み方向に直交する方向にずれようとしても、放電バルブ点灯装置１４の被規制部１７、１７、・・・がランプボディ３の位置決めリブ１２、１２、・・・によって位置規制されているため、放電バルブ点灯装置１４は設計上の取付位置に正確に取り付けられることになり、従って、オーリング２２が不均一に変形を受けることが無く、オーリング２２は期待された防水性を長期間に亘って維持することが出来る。
【００２９】
なお、上記した実施の形態では、位置決めリブ及び該位置決めリブに内接する被規制部をそれぞれ防水壁と同心円上の位置に部分的に形成したものを示したが、これらは双方又は一方が全周に亘って設けられても良いものである。
【００３０】
また、上記した実施の形態において示した各部の形状乃至構造は、何れも本発明を実施するに際して行う具体化のほんの一例を示したものに過ぎず、これらによって、本発明の技術的範囲が限定的に解釈されることがあってはならないものである。
【００３１】
【発明の効果】
以上に記載したところから明らかなように、本発明車輌用前照灯は、内部に放電バルブが配置されたボディに開口部を形成し、上記開口部を覆うように放電バルブ点灯装置を取り付け、上記開口部を介して上記放電バルブと上記放電バルブ点灯装置とを給電コードによって接続した車輌用前照灯であって、上記ボディに上記開口部の開口縁近傍から突出した円筒状をした防水壁と該防水壁の外側の防水壁を囲む位置から突出した位置決めリブとを形成し、上記位置決めリブと上記防水壁とを同心円上に形成し、上記放電バルブ点灯装置には上記防水壁より小径な円筒状をした防水リブと上記位置決めリブに内接する被規制部とが設けられ、上記放電バルブ点灯装置は、その防水リブと上記防水壁との間にオーリングが介挿され、且つ、被規制部が上記位置決めリブに内接した状態で、ボディにネジ止めされたことを特徴とする。
【００３２】
従って、本発明車輌用前照灯にあっては、放電バルブ点灯装置を取り付けた箇所におけるボディの防水が確実に図られることになる。すなわち、先ず、オーリングはボディの防水壁と放電バルブ点灯装置の防水リブとの間で均等に押圧されるため、全体が均等に変形し、局部的に大きな変形を強いられる場合に比較して弾性疲労が少なく、長期間に亘って、期待された防水性を維持することが出来る。
【００３３】
また、放電バルブ点灯装置をボディにネジ止めするときに、ネジに対する回転トルクの与え方に捻じ込み方向以外のモーメントが加わって、放電バルブ点灯装置が捻じ込み方向に直交する方向にずれようとしても、放電バルブ点灯装置の被規制部がボディの位置決めリブによって位置規制されているため、放電バルブ点灯装置は設計上の取付位置に正確に取り付けられることになり、従って、オーリングが不均一に変形を受けることが無く、オーリングは期待された防水性を長期間に亘って維持することが出来る。そして、さらに、位置決めリブと防水壁とを同心円上に形成したので、ボディの防水壁と放電バルブ点灯装置の防水リブとが同心円状に位置し、オーリングの位置が安定して、確実な防水を図ることが出来る。
【図面の簡単な説明】
【図１】図２乃至図７と共に本発明車輌用前照灯の実施の形態を示すものであり、本図は縦断面図である。
【図２】要部の底面図である。
【図３】図２のＩＩＩ−ＩＩＩ線に沿う断面図である。
【図４】ボディの底面図である。
【図５】図６及び図７と共に放電バルブ点灯装置を示すものであり、本図は側面図である。
【図６】上面図である。
【図７】底面図である。
【図８】従来の車輌用前照灯の要部を示す断面図である。
【符号の説明】
１…車輌用前照灯、３…ランプボディ（ボディ）、７…放電バルブ、９…開口部、１０…防水壁、１２…位置決めリブ、１４…放電バルブ点灯装置、１７…被規制部、１９…防水リブ、２２…オーリング、２７…給電コード
【図１】
0004000269.tif 000002
【図２】
0004000269.tif 000003
【図３】
0004000269.tif 000004
【図４】
0004000269.tif 000005
【図５】
0004000269.tif 000006
【図６】
0004000269.tif 000007
【図７】
0004000269.tif 000008
【図８】
0004000269.tif 000009